(57)【要約】【課題】色分離幅を自由度高く設定可能として光利用効率の大幅な向上を図ることができる波長分離素子及びこれを備えた画像表示装置を提供する。【解決手段】本発明に係る波長分離素子（波長分離シート）２０は、光入射面と光出射面とを有する透光性フィルムからなり、入射光Ｌを複数の異なる波長帯域の光ＬＲ，ＬＧ，ＬＢに分離して出射するプリズム状の構造体２２が、光入射面２１Ａ及び光出射面２１Ｂに周期的に配列されていることを特徴とする。この構成によれば、構造体２２の形状設計によって光の色分離幅を自由度高く設定することが可能となり、分離した各色光をカラーフィルタ１７の対応する色素層へ入射させることにより、光利用効率の大幅な向上を図れるようになる。【選択図】図３
2009008773.tif 000002
【特許請求の範囲】
【請求項１】
光入射面と光出射面とを有する透光性フィルムからなり、
入射光を複数の異なる波長帯域の光に分離して出射する構造体が、少なくとも前記光出射面に周期的に多数配列されている
ことを特徴とする波長分離素子。
【請求項２】
前記各構造体は、入射光を複数の異なる波長帯域の光に分離するとともに、これら複数の波長帯域の光をそれぞれ異なる出射角で出射させるプリズム形状を有する
ことを特徴とする請求項１に記載の波長分離素子。
【請求項３】
前記複数の波長帯域の光は、赤色波長帯域の光、緑色波長帯域の光及び青色波長帯域の光である
ことを特徴とする請求項１に記載の波長分離素子。
【請求項４】
前記各構造体は、入射光を複数の異なる波長帯域の光に分離するとともに、これら複数の波長帯域の光をそれぞれ異なる出射領域から出射させる
ことを特徴とする請求項１に記載の波長分離素子。
【請求項５】
前記各構造体は、
前記入射光の入射光軸に対して傾斜配置され、第１の波長帯域の光は透過し当該波長帯域外の光は反射する第１傾斜面と、
前記第１傾斜面で反射した光に対して傾斜配置され、第２の波長帯域の光は反射し当該波長帯域外の光は透過する第２傾斜面と、
前記第２傾斜面を透過した光に対して傾斜配置され、第３の波長帯域の光を反射する第３傾斜面を有する
ことを特徴とする請求項４に記載の波長分離素子。
【請求項６】
前記第１の波長帯域の光は赤色波長帯域の光であり、前記第２の波長帯域の光は緑色及び青色波長帯域の光であり、前記第３の波長帯域の光は青色波長帯域の光である
ことを特徴とする請求項５に記載の波長分離素子。
【請求項７】
液晶表示パネルと、この液晶表示パネルを背面側から照明する光源と、前記液晶表示パネルと前記光源との間に配置された波長分離素子とを備え、
前記波長分離素子は、光入射面と光出射面とを有する透光性フィルムからなり、
入射光を複数の赤色、緑色及び青色の波長帯域の光に分離して出射する構造体が、少なくとも前記光出射面に周期的に多数配列されている
ことを特徴とする画像表示装置。
【請求項８】
前記構造体は、前記液晶パネルの画素ピッチに対応する間隔をあけて配列されている
ことを特徴とする請求項７に記載の画像表示装置。
【請求項９】
前記液晶表示パネルは、赤色、緑色及び青色の各着色パターンが周期的に配置されたカラーフィルタを具備しており、
前記構造体は、前記着色パターンの配置周期に対応する間隔をあけて配列されている
ことを特徴とする請求項７に記載の画像表示装置。
【発明の詳細な説明】
【技術分野】
【０００１】
本発明は、例えば光の分散や分光を利用して色分離を行う波長分離素子及びこれを備えた画像表示装置に関する。
【背景技術】
【０００２】
近年、液晶表示パネルを用いたカラー画像表示装置においては、光源の光利用効率を高めて輝度の向上を図ることが商品価値を高める上で重要な課題となっている。この課題の解決策のひとつに、液晶表示パネルの色画素における光の透過ロスを最小限に抑えることが挙げられる。
【０００３】
図９は、一般的な光源のスペクトルと、ＲＧＢ（赤、緑、青）の各色の着色顔料（カラーフィルタ）の透過特性との関係の一例を示している。白色光源光は、各々のカラーフィルタへ入射することになるため、光の吸収による透過ロスが生じて、光利用効率の向上が図れない。
【０００４】
そこで、例えば下記特許文献１には、光源と液晶表示パネルの間に、光源光を赤、緑、青の３色に色分離する透過型ホログラム素子を配置し、分離した３色の光源光を各々対応するカラーフィルタの色素層に入射させる構成の画像表示装置が開示されている。これにより、液晶表示パネルの色画素（カラーフィルタ）における光の透過ロスを最小限に抑えることが可能となるので、光源光の利用効率の向上が図れるようになる。
【０００５】
【特許文献１】特開２００３−１３９９５８号公報
【発明の開示】
【発明が解決しようとする課題】
【０００６】
しかしながら、一般に透過型ホログラム素子は入射光の回折受容角が狭く、回折受容角及び出射角が十分に分離されていないので、光利用効率の大きな向上が望めない。また、ホログラムの波長分散を利用して色分離をしているので、各色光の分離角設定に自由度がなく、当該ホログラム素子と液晶表示パネルの色画素との間の距離を製造難易度や光利用効率の面から最適に設定することが困難であるという問題がある。
【０００７】
本発明は上述の問題に鑑みてなされ、色分離幅を自由度高く設定可能として光利用効率の大幅な向上を図ることができる波長分離素子及びこれを備えた画像表示装置を提供することを課題とする。
【課題を解決するための手段】
【０００８】
以上の課題を解決するに当たり、本発明の波長分離素子は、光入射面と光出射面とを有する透光性フィルムからなり、入射光を複数の異なる波長帯域の光に分離して出射する構造体が、少なくとも上記光出射面に周期的に配列されていることを特徴とする。この構成によれば、上記構造体の形状設計によって光の色分離幅を自由度高く設定可能となるので、光利用効率の大幅な向上を図れるようになる。
【０００９】
具体的に、本発明の波長分離素子においては、上記各構造体は、入射光を複数の異なる波長帯域の光に分光するとともに、これら複数の波長帯域の光をそれぞれ異なる出射角で出射させるプリズム形状を有する。これにより、上記構造体を構成する材料の屈折率や傾斜面の傾斜角を適宜調整することで、光源光の波長分散を利用して所望の色分離幅で各色光を分離出射させることが可能となる。
【００１０】
また、本発明の波長分離素子においては、上記各構造体は、入射光の入射光軸に対して傾斜配置され、第１の波長帯域の光は透過し当該波長帯域外の光は反射する第１傾斜面と、
この第１傾斜面で反射した光に対して傾斜配置され、第２の波長帯域の光は反射し当該波長帯域外の光は透過する第２傾斜面と、この第２傾斜面を透過した光に対して傾斜配置され、第３の波長帯域の光を反射する第３傾斜面を有する。この場合、第１の波長帯域の光は赤色波長帯域の光、第２の波長帯域の光は緑色及び青色波長帯域の光、そして第３の波長帯域の光は青色波長帯域の光とすることができる。
【００１１】
このような構成の波長分離素子を光源と液晶表示パネルの間に配置することによって、液晶表示パネルの色画素ごとに、対応する色の光源光を入射させて、光源光の利用効率を高めて輝度の向上を図ることができる。また、液晶表示パネルのパネルサイズや画素ピッチに応じた波長分離素子の最適設計を容易に行うことが可能となる。
【発明の効果】
【００１２】
以上述べたように、本発明の波長分離素子によれば、複数の波長帯域の光を任意の分離幅で出射させることが可能となる。また、この波長分離素子を用いて光利用効率の高い画像表示装置を構成することができる。
【発明を実施するための最良の形態】
【００１３】
以下、本発明の各実施形態について図面を参照して説明する。
【００１４】
（第１の実施形態）
図１は、本発明の第１の実施形態による液晶表示装置（画像表示装置）１０の一構成例を示す概略図である。図示する液晶表示装置１０は、例えば大型液晶テレビ用に構成され、液晶表示パネル１１と、この液晶表示パネル１１の背面側（図１において下方側）に配置されたバックライトユニット１２とを有している。液晶表示パネル１１とバックライトユニット１２との間には、拡散板１３、拡散シート１４、プリズムシート１５、偏光分離シート、そして本発明に係る波長分離シート（波長分離素子）２０が、バックライトユニット１２側から順に配置されている。
【００１５】
図２は、液晶表示パネル１１の概略構成を示す断面図である。液晶表示パネル１１は、液晶層１を挟んで対向する一対の透明基板２ａ，２ｂと、これらの透明基板２ａ，２ｂの外面側に各々配置された一対の偏光板３ａ，３ｂを備えている。
【００１６】
液晶層１の構成は特に限定されず、誘電異方性が正で電界印加時に分子長軸が電界方向と略平行となる液晶材料や、誘電異方性が負で電界印加時に分子長軸が電界方向と略直交する垂直配向型液晶材料等を用いることができる。透明基板２ａ，２ｂにはガラス基板が用いられるが、ポリマーフィルム基板が用いられてもよい。透明基板２ａの内面側にはカラーフィルタ１７、透明電極膜１８ａ及び配向膜１９ａが順に積層されている。また、透明基板２ｂの内面側には透明電極膜１８ｂ及び配向膜１９ｂが順に積層されている。
【００１７】
バックライトユニット１２は、液晶表示パネル１１の背面側から照明光（白色光）を照射する直下型バックライトユニットで構成され、複数の光源８と、光源８の背面側および側面側を覆う反射板９とで構成されている。光源８は、ＬＥＤ（発光ダイオード）等の点光源でもよいし、ＣＣＦＬ（冷陰極管）等の線光源でもよい。バックライトユニット１２から出射した光（光源光）は、拡散板１３、拡散シート１４、プリズムシート１５、偏光分離シート１６及び波長分離シート２０を介して液晶表示パネル１１へ入射される。
【００１８】
拡散板１３は、入射した光源光を散乱出射させて拡散シート１４へ入射させる。拡散シート１４は、入射した光源光を所定の角度範囲で拡散出射する。プリズムシート１５は、拡散シート１４で拡散された光源光を集光して偏光分離シート１６へ入射させる。偏光分離シート１６は、入射光に含まれる一定の直線偏光成分（例えばＰ偏光成分）を透過させ、他の直線偏光成分（例えばＳ偏光成分）を反射する。これにより、一定の偏光光のみが液晶表示パネル１１へ入射される。
【００１９】
偏光分離シート１６から出射した偏光光は、後述する波長分離シート２０及び偏光板３ｂを介して液晶層１へ入射する。液晶層１を構成する液晶分子は、透明電極膜１８ａ，１８ｂ間に挟まれた画素領域毎に電圧駆動されることで配向制御され、入射偏光光に旋光性を与える。そして、光源光は、カラーフィルタ１７を通過し、偏光板３ａを透過する光と透過しない光とが画素毎に制御されることで、液晶表示パネル１１の前面にカラー画像を表示する。
【００２０】
次に、本発明に係る波長分離シート２０の詳細について説明する。
【００２１】
図３は波長分離シート２０の構成及び機能を説明する要部の断面図である。波長分離シート２０は、光入射面２１Ａと光出射面２１Ｂとを有するポリカーボネート、ポリエチレンテレフタレート等の合成樹脂製の透光性フィルムあるいはシートからなり、入射光を複数の異なる波長帯域の光に分離して出射する構造体２２が、周期的に多数配列された構成を有している。これらの構造体２２は、波長分離シート２０の光入射面２１Ａ及び光出射面２１Ｂに凹凸形状を付与する略プリズム形状を有している。
【００２２】
本実施形態において、波長分離シート２０を構成する多数の構造体２２は、液晶表示パネル１１の画素ピッチＰに対応する間隔をあけて周期的に配列されている。液晶表示パネル１１の個々の画素は、カラーフィルタ１７のＲＧＢ各色の着色パターン１７Ｒ，１７Ｇ，１７Ｂに対応する一組の色画素（サブ画素）で構成されている。各構造体２２は、バックライトユニット１２から出射される光源光（白色光）ＬをＲＧＢ各色の複数の異なる波長帯域の光ＬＲ，ＬＧ，ＬＢに分光するとともに、これら各色の光をそれぞれ異なる出射角で出射させる機能を有する。
【００２３】
図４は、構造体２２を透過する光の光路図である。各構造体２２は略プリズム形状を有しており、その一方の傾斜面が波長分離シート２０の光入射面２１Ａを構成し、その他方の傾斜面が波長分離シート２０の光出射面２１Ｂを構成している。これら光入射面２１Ａ及び光出射面２１Ｂのなす角で表される構造体２２の仮想頂点Ａの頂角をα、屈折率をｎとすると、構造体２２を透過する光の偏角δは、以下の（１）式で求められる。
δ＝θi1＋sin-1［(sinα)(ｎ2−sin2θi1)1/2−sinθi1・cosα］−α …（１）
ここで、θi1は、点Ｂにおける光の入射角である。
【００２４】
上式より、構造体２２を透過する光について、構造体２２の頂角α、光の入射角θi1、屈折率ｎによって偏角δが調整される。屈折率ｎは波長によって異なるため、偏角δは、赤色光ＬＲ、緑色光ＬＧ、青色光ＬＢの順で大きな値となる（波長分散）。よって、波長分離シート２０に入射した光源光は、ＲＧＢの各色に分離され、かつ光出射面２１Ｂから色毎に異なる出射角で出射されることになる。また、構造体２２の形状（頂角α）や屈折率ｎ、光の入射角θi1によって、各色光ＬＲ，ＬＧ，ＬＢの偏角δを変化させることが可能である。
【００２５】
波長分離シート２０は、光源光ＬをＲＧＢの各色の色光ＬＲ，ＬＧ，ＬＢに分離し、これら色光を液晶表示パネル１１の対応する色画素（１７Ｒ，１７Ｇ，１７Ｂ）にそれぞれ入射させる機能を有する。このとき、波長分離シート２０で分離された各色光ＬＲ，ＬＧ，ＬＢが色画素（１７Ｒ，１７Ｇ，１７Ｂ）に到達した際に、各色光が色画素の画素間隔に概ね一致する分離幅で分離されるように、波長分離シート２０と液晶表示パネル１１の間の距離Ｌ（図３）が設定される。これにより、液晶表示パネル１１の色画素（カラーフィルタ１７）における光の吸収による透過ロスを最小限に抑えて光利用効率を高められ、高輝度のカラー画像を形成することが可能となる。
【００２６】
図５に波長分離シート２０の一実施例を示す。図５は、屈折率１．５８のポリカーボネートで波長分離シート２０を作製し、各構造体２２の頂角αを４５°、光入射面２１Ａに対する光の入射角θi1を４５°、波長分離シート２０と液晶表示パネル１１のカラーフィルタ１７の間の距離Ｌを１５ｍｍとしたときの偏角δと屈折率の波長依存性を示している。
【００２７】
図５に示すように、赤色光ＬＲ（波長約６５０ｎｍ）と緑色光ＬＧ（波長約５５０ｎｍ）の間の偏角の差は０．５３４°で分離幅は０．１３４ｍｍ、緑色光ＬＧと青色光ＬＢ（波長約４５０ｎｍ）の間の偏角の差は１．１２８°で分離幅は０．２９５ｍｍであった。この場合、画素ピッチＰが５００μｍ程度の液晶表示パネル１１に用いて好適な波長分離シート２０を構成することができる。
【００２８】
以上のように、本実施形態によれば、波長分離シート２０によって、波長分散を利用した光源光Ｌの色光ＬＲ，ＬＧ，ＬＢ毎の分離出射が可能であるので、これら分離出射させた各色光を液晶表示パネル１１の対応する色の色画素にそれぞれ入射させることにより、液晶表示パネル１１の色画素（カラーフィルタ１７）における光の吸収による透過ロスを最小限に抑えることが可能となる。これにより光源光Ｌの光利用効率が高まり、高輝度、高色純度のカラー画像を形成することができるようになる。
【００２９】
また、本実施形態の波長分離シート２０によれば、各構造体２２の形状、屈折率等を変更することで、各色光の出射方向および色分離幅を容易に調整することができる。これにより、液晶表示パネル１１と波長分離シート２０との間の距離を自由度高く設定することが可能になるとともに、画素サイズの異なる複数種の液晶表示パネルとの組み合わせにも容易に対応することが可能となる。なお、波長分離シート２０の光入射面２１Ａ側に、光源光Ｌを平行化するためのレンズシートを設置して、構造体２２に対する光の入射角を安定化させてもよい。
【００３０】
更に、本実施形態の波長分離シート２０は、溶融押出し成形法やプレス成形法等によって作製することが可能であるので、所望の形状の構造体２２を所望の配列ピッチで精度よくかつ容易に作製することが可能である。
【００３１】
（第２の実施形態）
図６は本発明の第２の実施形態による波長分離シート（波長分離素子）４０及びこれを備えた液晶表示装置（画像表示装置）３０の要部の概略側断面図である。なお、図において上述の第１の実施形態と対応する部分については同一の符号を付し、その詳細な説明は省略する。
【００３２】
本実施形態の液晶表示装置３０は、カラーフィルタ１７を備えた液晶表示パネル１１と、白色光源光を発生するバックライトユニット１２と、これら液晶表示パネル１１とバックライトユニット１２との間に配置された波長分離シート４０とを備えている。
【００３３】
なお、バックライトユニット１２と波長分離シート４０との間には、上述の第１の実施形態と同様に拡散板やプリズムシート等の各種光学シートが適宜組み合わされて設置されるものとする。また、波長分離シート４０の光入射側には、光源光Ｌを平行光束化する凸レンズ及び凹レンズの組み合わせからなるレンズシート３１が設置されている。
【００３４】
波長分離シート４０は、光入射面４１Ａ及び光出射面４１Ｂを有するポリカーボネート、ポリエチレンテレフタレート等の合成樹脂製の透光性フィルムあるいはシートからなり、入射光を複数の異なる波長帯域の光に分離して出射する構造体４２が、周期的に多数配列された構成を有している。これらの構造体４２は、波長分離シート４０の光出射面４１Ｂに凹凸形状を付与する略プリズム形状を有している。
【００３５】
本実施形態において、波長分離シート４０を構成する各構造体４２は、当該構造体４２が３つ一組で液晶表示パネル１１の１画素ピッチＰに対応する周期構造をなすように配列されている。ここで、液晶表示パネル１１の個々の画素は、カラーフィルタ１７のＲＧＢ各色の着色パターン１７Ｒ，１７Ｇ，１７Ｂに対応する一組の色画素（サブ画素）で構成されている。したがって、各構造体４２は、これら色画素（着色パターン）１７Ｒ，１７Ｇ，１７Ｂの配置周期に対応する間隔をあけて配列されている。
【００３６】
各構造体４２はそれぞれ同一の断面形状を有し、入射光Ｌの入射光軸（本実施形態では波長分離シート４０の法線方向）に対して４５°傾斜する傾斜面を有している。本実施形態では、色画素１７Ｒに対応する構造体４２の傾斜面４３ｒを第１の傾斜面、色画素１７Ｇに対応する構造体４２の傾斜面４３ｇを第２の傾斜面、そして、色画素１７Ｂに対応する構造体４２の傾斜面４３ｂを第３の傾斜面としている。
【００３７】
第１の傾斜面４３ｒには、赤色波長帯域（第１の波長帯域）の光は透過し当該波長帯域外の光は反射する第１ダイクロイック膜が設けられている。本実施形態では、上記第１ダイクロイック膜は、赤色波長帯域の長波長の光は透過しこれよりも短波長の光を反射するエッジフィルタとして構成されている。第２の傾斜面４３ｇは第１の傾斜面４３ｒで反射した光に対して４５°傾斜配置され、この第２の傾斜面４３ｇには緑色波長帯域（第２の波長帯域）の光は透過し当該波長帯域外の光は反射する第２ダイクロイック膜が設けられている。本実施形態では、上記第２ダイクロイック膜は、緑色波長帯域の光は反射しそれ以外の波長帯域の光は透過するバンドパスフィルタとして構成されている。そして、第３の傾斜面４３ｂは第２の傾斜面４３ｇを透過した光に対して４５°傾斜配置され、この第３の傾斜面４３ｂには青色波長帯域（第３の波長帯域）の光を反射する第３ダイクロイック膜が設けられている。本実施形態では、上記第３ダイクロイック膜は、青色波長帯域の短波長の光を反射するエッジフィルタとして構成されている。
【００３８】
上記第１〜第３ダイクロイック膜は、高屈折率膜と低屈折率膜を交互に積層した光学多層膜で構成することができる。具体的な膜設計例としては、高屈折率膜をＨ、低屈折率膜をＬで表すと、１．０Ｈ＝１．０Ｌ＝λ／４＝ｎ×ｄ（λ：中心波長［ｎｍ］、ｎ：膜の屈折率、ｄ：膜の物理膜厚［ｎｍ］）とした場合、（Ｈ／２、Ｌ、Ｈ／２）の組み合わせを基本単位としてこれを複数組積層する。図７に、第１の傾斜面４３ｒ、第２の傾斜面４３ｇ及び第３の傾斜面４３ｂにおける分光特性の一例を示す。図７において縦軸は、第１の傾斜面４３ｒに関しては透過率、第２の傾斜面４３ｇ及び第３の傾斜面４３ｂに関しては反射率を表している。
【００３９】
以上のように構成される本実施形態の波長分離シート４０においては、カラーフィルタ１７の着色パターンの配列順に従って、入射した光源光Ｌを赤色光ＬＲ、緑色光ＬＧ、青色光ＬＢの各色光を選択的に分離し、これら複数の波長帯域の光をそれぞれ異なる出射領域から出射させる分光セパレータとして機能する。そこで、各出射領域（第１〜第３傾斜面４３ｒ，４３ｇ，４３ｂ）の配列間隔を液晶表示パネル１１の色画素の画素ピッチに対応させることによって、これら色画素１７Ｒ，１７Ｇ，１７Ｂにおける光の吸収による透過ロスを最小限に抑えることが可能となる。これにより、上述の第１の実施形態と同様に、光源光Ｌの光利用効率が高まり、高輝度、高色純度のカラー画像を形成することができるようになる。
【００４０】
また、本実施形態の波長分離シート４０によれば、各構造体４２の形状、配列間隔等を変更することで、各色光の出射方向および色分離幅を容易に調整することができる。これにより、液晶表示パネル１１と波長分離シート４０との間の距離を自由度高く設定することが可能になるとともに、画素サイズの異なる複数種の液晶表示パネルとの組み合わせにも容易に対応することが可能となる。
【００４１】
更に、本実施形態の波長分離シート４０は、溶融押出し成形法やプレス成形法等によって作製することが可能であるので、所望の形状の構造体４２を所望の配列ピッチで精度よくかつ容易に作製することが可能である。
【００４２】
以上、本発明の各実施形態について説明したが、勿論、本発明はこれらに限定されることはなく、本発明の技術的思想に基づいて種々の変形が可能である。
【００４３】
例えば以上の実施形態では、本発明に係る波長分離シート２０，４０として、プリズム形状の構造体２２，４２を有する構成としたが、これに限らず、上記構造体を透明な回折格子で形成し、後述するように周期構造体による回折現象で白色光源光をＲＧＢの各色に分離するようにしてもよい。
【００４４】
すなわち、図８Ａに模式的に示すように、１つの格子からなる単位構造体（位相変調開口）５０に対する入射光（ｈνはエネルギー）５１は、回折光５２に変調される。この単位構造体５０を周期的に配列させると、図８Ｂに示すように、複数の角度分布をもつスペクトル化した回折光５３が得られる。回折現象がブラッグ（Ｂｒａｇｇ）回折で生じると仮定すると、ｄ・ｓｉｎθ＝ｍλ（ｄ：格子間隔、θ：出射角、ｍ：整数、λ：波長）の定義式から、ｄ＝１００［μｍ］、λ＝０．５［μｍ］とした場合、
ｍ＝±１の時、ｓｉｎθ＝±１×０．５／１００＝０．００５  θ＝±０．２８６
ｍ＝±２の時、ｓｉｎθ＝±２×０．５／１００＝０．０１    θ＝±０．５７３
となる。また、ｄ＝１０［μｍ］、λ＝０．５［μｍ］とした場合、
ｍ＝±１の時、ｓｉｎθ＝±１×０．５／１０＝０．０５  θ＝±２．８７
ｍ＝±２の時、ｓｉｎθ＝±２×０．５／１０＝０．１    θ＝±５．７４
となる。
ここで、ｄ＝±１０［μｍ］、ｍ＝±１とした場合、
λ＝０．４［μｍ］の時、  θ＝±２．２９°
λ＝０．５５［μｍ］の時、θ＝±３．１５°
λ＝０．７８［μｍ］の時、θ＝±４．４７°
となる。よって、この場合のＢ−Ｇ間において０．８６°の分離幅が得られるとともに、Ｇ−Ｒ間で１．３２°の分離幅が得られることになる。
【００４５】
また、以上の実施形態では、画像表示装置として、直視型の液晶表示装置を例に挙げて説明したが、これに限らず、リア（又はフロント）プロジェクタ装置等の投射型画像表示装置にも本発明は適用可能である。
【図面の簡単な説明】
【００４６】
【図１】本発明の第１の実施形態による画像表示装置（液晶表示装置）の概略構成図である。
【図２】図１に示した液晶表示装置を構成する液晶表示パネルの概略断面図である。
【図３】本発明の第１の実施形態による波長分離素子（波長分離シート）の構成及び作用を説明する要部の断面図である。
【図４】本発明の第１の実施形態による波長分離素子の作用の説明図である。
【図５】本発明の一実施例を示す図である。
【図６】本発明の第２の実施形態による波長分離素子（波長分離シート）を備えた画像表示装置（液晶表示装置）の要部の概略構成図である。
【図７】本発明の第２の実施形態による波長分離素子の分光特性の一例を示す図である。
【図８】本発明の実施形態の変形例を説明する図である。
【図９】一般的な光源光のスペクトルとカラーフィルタの透過特性との関係を示す図である。
【符号の説明】
【００４７】
１０，３０…液晶表示装置（画像表示装置）、１１…液晶表示パネル、１２…バックライトユニット、１７…カラーフィルタ、２０，４０…波長分離シート（波長分離素子）、２１Ａ，４１Ａ…光入射面、２１Ｂ，４１Ｂ…光出射面、２２，４２…構造体、４３ｒ…第１の傾斜面、４３ｇ…第２の傾斜面、４３ｂ…第３の傾斜面、Ｌ…光源光（白色光）、ＬＲ…赤色光、ＬＧ…緑色光、ＬＢ…青色光
【図１】
2009008773.tif 000003
【図２】
2009008773.tif 000004
【図３】
2009008773.tif 000005
【図４】
2009008773.tif 000006
【図５】
2009008773.tif 000007
【図６】
2009008773.tif 000008
【図７】
2009008773.tif 000009
【図８】
2009008773.tif 000010
【図９】
2009008773.tif 000011